(57)【要約】【課題】本発明は水処理カップを開示した。【解決手段】カップ及び前記カップの中に設置された濾過チャンバを含み、前記濾過チャンバの中には濾過機構が設置され、前記カップの中には前記濾過チャンバと連通した注水チャンバが設置され、前記カップの中には前記注水チャンバと連通した上スライド溝が設置され、前記上スライド溝の中には上封閉棒がスライドできるように設置され、前記上封閉棒の中には左右に貫通した連通穴が設置され、前記上封閉棒と前記上スライド溝の頂壁との間には上撥条が連結され、前記濾過チャンバの中には加圧ブロックが設置され、本発明は持ち歩きに便利であり、自分で持つ飲み水が飲み切られた後、水道水を本発明の中に入れ、水道水を本発明によって濾過し、且つ濾過過程中加圧でき、濾過効率を大幅に高め、より短い時間に飲める水を手に入れることができ、より高い実用性がある。【選択図】図１
2020179389.tif 000002
【特許請求の範囲】
【請求項１】
正面視で、カップ及び前記カップの中に設置された濾過チャンバを含み、その特徴は、前記濾過チャンバの中には濾過機構が設置され、前記カップの中には前記濾過チャンバと連通した注水チャンバが設置され、前記カップの中には前記注水チャンバと連通した上スライド溝が設置され、前記上スライド溝の中には上封閉棒がスライドできるように設置され、前記上封閉棒の中には左右に貫通した連通穴が設置され、前記上封閉棒と前記上スライド溝の頂壁との間には上撥条が連結され、前記濾過チャンバの中には加圧ブロックが設置され、前記加圧ブロックと前記濾過チャンバの内壁とがスライドできるように密閉的に連結され、前記カップの中には外部に開口したストロー収納溝が設置され、前記ストロー収納溝と前記濾過チャンバとが連通し、前記カップの中には撥条チャンバが設置され、前記撥条チャンバの中には仕切板がスライドできるように設置され、前記仕切板が前記ストロー収納溝と前記濾過チャンバとの連通したところを封閉し、前記ストロー収納溝の中には前記濾過チャンバと連通した軟質管が固定的に設置され、前記軟質管の一端には硬いストローが連結され、前記硬いストローと前記撥条チャンバの上端面との間には引き線が連結され、前記仕切板と前記撥条チャンバの頂壁との間には押し撥条が連結され、前記カップの中には検測機構が設置され、前記検測機構は検測チャンバと、逆止弁と、排水穴と、透明ガラスとを含み、前記検測チャンバと前記濾過チャンバとが連通し、前記検測チャンバと前記濾過チャンバとの連通したところには前記逆止弁が設置され、前記検測チャンバが外に開口し且つ開口したところには前記透明ガラスが固定的に設置され、前記排水穴と前記検測穴とが連通して下に開口し、
使用する時、前記上封閉棒をスライドさせて前記連通穴と前記注水チャンバと前記濾過チャンバとを連通させ、水道水が前記注水チャンバを経由して前記濾過チャンバの中に入って前記濾過機構の作用によって濾過され、前記加圧ブロックが下にスライドして水道水を加圧し、それにより濾過速度を加えることが実現でき、濾過後の水が前記検測チャンバの中に入って検測試薬と反応し、使用者が前記透明ガラスによって観測して水の濾過状況を検査できることを特徴とする水処理カップ。
【請求項２】
前記カップの中には外に開口した外スライド溝が設置され、前記外スライド溝の中には制御ブロックがスライドできるように設置され、前記外スライド溝と前記上スライド溝との間には中間チャンバが設置され、前記制御ブロックと前記上封閉棒との間には連結棒が連結され、前記制御ブロックを下にスライドすれば前記連通穴と前記注水穴と前記濾過チャンバとを連通させることができることを特徴とする請求項１に記載の水処理カップ。
【請求項３】
前記検測機構は前記カップの中に設置された試薬チャンバを含み、前記試薬チャンバの中には検測試薬が入れられており、前記カップの中には前記検測チャンバと前記中間チャンバとを連通した空チャンバが設置され、前記空チャンバの中にはスライド棒がスライドできるように設置され、前記スライド棒の中には左右に貫通した試薬転移溝が設置され、前記試薬転移溝と前記試薬チャンバとが連通し、前記空チャンバの左壁の中には下スライド溝が設置され、前記下スライド溝の中には前記スライド棒と固定的に連結された下スライダが設置され、前記下スライダと前記下スライド溝の底壁との間には下撥条が連結され、前記廃水穴の左壁の中には外に開口した封閉棒スライド溝が設置され、前記封閉棒スライド溝の中には前記排水穴を封閉できる下封閉棒が設置され、前記封閉棒スライド溝の内壁の中にはガイド溝が設置され、前記ガイド溝の中には前記下封閉棒と固定的に連結されたスライダがスライドできるように設置され、前記スライダと前記ガイド溝の一側の内壁との間には撥条が連結され、
前記制御ブロックを下にスライドさせる時、前記連結棒が前記スライド棒を下に押し、前記試薬転移溝の中の検測試薬が前記検測チャンバの中に入り、濾過後の水が前記検測チャンバの中に入った後検測試薬と反応し、この時前記透明ガラスによって観測でき、水質が不合格であれば、前記濾過機構を交換し又は改めて水源を選択することを特徴とする請求項１に記載の水処理カップ。
【請求項４】
前記加圧ブロックと前記濾過チャンバの頂壁との間には復帰撥条が連結され、前記加圧ブロックの上端面には上に外部に伸びている中間棒が固定的に設置され、前記カップの上端面の中には収納溝が設置され、前記収納溝の中には押し棒が設置され、前記押し棒と前記中間棒とがヒンジで連結され、
前記加圧ブロックを下に押す時、前記押し棒を垂直まで回転させて下に押すことを特徴とする請求項１に記載の水処理カップ。
【請求項５】
前記ストロー収納溝の内壁の中には少なくとも一組の固定ブロックが固定的に設置され、前記固定ブロックが弾性のある材質から作られ、前記硬いストローは使用しない時前記固定ブロックによって固定することを特徴とする請求項１に記載の水処理カップ。
【発明の詳細な説明】
【技術分野】
【０００１】
本発明はカップの技術分野を取り上げて、具体的には水処理カップである。
【背景技術】
【０００２】
外出して遊ぶ時、観光地で買う飲み水が高すぎ、飲み水を自分で持つことを選び、しかし自分で持つ飲み水が飲み切られたら、補充されにくく、水道水が便利に手に入れ、しかし水道水の中には残留塩素など有害物質が存在しており、直接に飲むと体に害があり、上記欠点を狙って、本装置を提出する。
【先行技術文献】
【特許文献】
【０００３】
【特許文献１】中国特許出願公開第１０９０１２４１０号明細書
【発明の概要】
【発明が解決しようとする課題】
【０００４】
上記技術の不足を狙って、本発明は水処理カップを提出し、上記の欠点を克服できる。
【課題を解決するための手段】
【０００５】
本発明装置の水処理カップは、カップ及び前記カップの中に設置された濾過チャンバを含み、前記濾過チャンバの中には濾過機構が設置され、前記カップの中には前記濾過チャンバと連通した注水チャンバが設置され、前記カップの中には前記注水チャンバと連通した上スライド溝が設置され、前記上スライド溝の中には上封閉棒がスライドできるように設置され、前記上封閉棒の中には左右に貫通した連通穴が設置され、前記上封閉棒と前記上スライド溝の頂壁との間には上撥条が連結され、前記濾過チャンバの中には加圧ブロックが設置され、前記加圧ブロックと前記濾過チャンバの内壁とがスライドできるように密閉的に連結され、前記カップの中には外部に開口したストロー収納溝が設置され、前記ストロー収納溝と前記濾過チャンバとが連通し、前記カップの中には撥条チャンバが設置され、前記撥条チャンバの中には仕切板がスライドできるように設置され、前記仕切板が前記ストロー収納溝と前記濾過チャンバとの連通したところを封閉し、前記ストロー収納溝の中には前記濾過チャンバと連通した軟質管が固定的に設置され、前記軟質管の一端には硬いストローが連結され、前記硬いストローと前記撥条チャンバの上端面との間には引き線が連結され、前記仕切板と前記撥条チャンバの頂壁との間には押し撥条が連結され、前記カップの中には検測機構が設置され、前記検測機構は検測チャンバと、逆止弁と、排水穴と、透明ガラスとを含み、前記検測チャンバと前記濾過チャンバとが連通し、前記検測チャンバと前記濾過チャンバとの連通したところには前記逆止弁が設置され、前記検測チャンバが外に開口し且つ開口したところには前記透明ガラスが固定的に設置され、前記排水穴と前記検測穴とが連通して下に開口し、
使用する時、前記上封閉棒をスライドさせて前記連通穴と前記注水チャンバと前記濾過チャンバとを連通させ、水道水が前記注水チャンバを経由して前記濾過チャンバの中に入って前記濾過機構の作用によって濾過され、前記加圧ブロックが下にスライドして水道水を加圧し、それにより濾過速度を加えることが実現でき、濾過後の水が前記検測チャンバの中に入って検測試薬と反応し、使用者が前記透明ガラスによって観測して水の濾過状況を検査できる。
【０００６】
更なる技術方案、前記カップの中には外に開口した外スライド溝が設置され、前記外スライド溝の中には制御ブロックがスライドできるように設置され、前記外スライド溝と前記上スライド溝との間には中間チャンバが設置され、前記制御ブロックと前記上封閉棒との間には連結棒が連結され、前記制御ブロックを下にスライドすれば前記連通穴と前記注水穴と前記濾過チャンバとを連通させることができる。
【０００７】
更なる技術方案、前記検測機構は前記カップの中に設置された試薬チャンバを含み、前記試薬チャンバの中には検測試薬が入れられており、前記カップの中には前記検測チャンバと前記中間チャンバとを連通した空チャンバが設置され、前記空チャンバの中にはスライド棒がスライドできるように設置され、前記スライド棒の中には左右に貫通した試薬転移溝が設置され、前記試薬転移溝と前記試薬チャンバとが連通し、前記空チャンバの左壁の中には下スライド溝が設置され、前記下スライド溝の中には前記スライド棒と固定的に連結された下スライダが設置され、前記下スライダと前記下スライド溝の底壁との間には下撥条が連結され、前記廃水穴の左壁の中には外に開口した封閉棒スライド溝が設置され、前記封閉棒スライド溝の中には前記排水穴を封閉できる下封閉棒が設置され、前記封閉棒スライド溝の内壁の中にはガイド溝が設置され、前記ガイド溝の中には前記下封閉棒と固定的に連結されたスライダがスライドできるように設置され、前記スライダと前記ガイド溝の一側の内壁との間には撥条が連結され、
前記制御ブロックを下にスライドさせる時、前記連結棒が前記スライド棒を下に押し、前記試薬転移溝の中の検測試薬が前記検測チャンバの中に入り、濾過後の水が前記検測チャンバの中に入った後検測試薬と反応し、この時前記透明ガラスによって観測でき、水質が不合格であれば、前記濾過機構を交換し又は改めて水源を選択する。
【０００８】
更なる技術方案、前記加圧ブロックと前記濾過チャンバの頂壁との間には復帰撥条が連結され、前記加圧ブロックの上端面には上に外部に伸びている中間棒が固定的に設置され、前記カップの上端面の中には収納溝が設置され、前記収納溝の中には押し棒が設置され、前記押し棒と前記中間棒とがヒンジで連結され、
前記加圧ブロックを下に押す時、前記押し棒を垂直まで回転させて下に押す。
【０００９】
更なる技術方案、前記ストロー収納溝の内壁の中には少なくとも一組の固定ブロックが固定的に設置され、前記固定ブロックが弾性のある材質から作られ、前記硬いストローは使用しない時前記固定ブロックによって固定する。
【発明の効果】
【００１０】
本発明の有益な効果は下記の通りである：
【００１１】
本発明は持ち歩きに便利であり、自分で持つ飲み水が飲み切られた後、水道水を本発明の中に入れ、水道水を本発明によって濾過し、且つ濾過過程中加圧でき、濾過効率を大幅に高め、より短い時間に飲める水を手に入れることができ、より高い実用性がある。
【図面の簡単な説明】
【００１２】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の水処理カップの全体構成模式図
【図２】図２は図１のＡーＡの構成模式図
【図３】図３は図１のＢーＢの構成模式図
【図４】図４は図１のＣの構成模式図
【図５】図５は図１のＤの構成模式図
【発明を実施するための形態】
【００１４】
以下は付図説明と実施例を合わせて本発明に更に説明し、本発明の方式は以下の実施例を含みが限らない。
【００１５】
図１〜５に示されるように、本発明装置の水処理カップは、カップ１０及び前記カップ１０の中に設置された濾過チャンバ３０を含み、前記濾過チャンバ３０の中には濾過機構２４が設置され、前記カップ１０の中には前記濾過チャンバ３０と連通した注水チャンバ３６が設置され、前記カップ１０の中には前記注水チャンバ３６と連通した上スライド溝２２が設置され、前記上スライド溝２２の中には上封閉棒２０がスライドできるように設置され、前記上封閉棒２０の中には左右に貫通した連通穴２１が設置され、前記上封閉棒２０と前記上スライド溝２２の頂壁との間には上撥条２３が連結され、前記濾過チャンバ３０の中には加圧ブロック２５が設置され、前記加圧ブロック２５と前記濾過チャンバ３０の内壁とがスライドできるように密閉的に連結され、前記カップ１０の中には外部に開口したストロー収納溝３２が設置され、前記ストロー収納溝３２と前記濾過チャンバ３０とが連通し、前記カップ１０の中には撥条チャンバ３７が設置され、前記撥条チャンバ３７の中には仕切板４７がスライドできるように設置され、前記仕切板４７が前記ストロー収納溝３２と前記濾過チャンバ３０との連通したところを封閉し、前記ストロー収納溝３２の中には前記濾過チャンバ３０と連通した軟質管４６が固定的に設置され、前記軟質管４６の一端には硬いストロー３１が連結され、前記硬いストロー３１と前記撥条チャンバ４７の上端面との間には引き線３４が連結され、前記仕切板４７と前記撥条チャンバ３７の頂壁との間には押し撥条３５が連結され、前記カップ１０の中には検測機構１００が設置され、前記検測機構１００は検測チャンバ３８と、逆止弁４５と、排水穴４０と、透明ガラス３９とを含み、前記検測チャンバと前記濾過チャンバ３１とが連通し、前記検測チャンバ３８と前記濾過チャンバ３０との連通したところには前記逆止弁４５が設置され、前記検測チャンバ３８が外に開口し且つ開口したところには前記透明ガラス３９が固定的に設置され、前記排水穴４０と前記検測穴３８とが連通して下に開口し、
使用する時、前記上封閉棒２０をスライドさせて前記連通穴２１と前記注水チャンバ３６と前記濾過チャンバ３０とを連通させ、水道水が前記注水チャンバ３６を経由して前記濾過チャンバ３０の中に入って前記濾過機構２４の作用によって濾過され、前記加圧ブロック２５が下にスライドして水道水を加圧し、それにより濾過速度を加えることが実現でき、濾過後の水が前記検測チャンバ３８の中に入って検測試薬と反応し、使用者が前記透明ガラス３９によって観測して水の濾過状況を検査できる。
【００１６】
有益なように、前記カップ１０の中には外に開口した外スライド溝１４が設置され、前記外スライド溝１４の中には制御ブロック１２がスライドできるように設置され、前記外スライド溝１４と前記上スライド溝２２との間には中間チャンバ１３が設置され、前記制御ブロック１２と前記上封閉棒２０との間には連結棒１１が連結され、前記制御ブロック１２を下にスライドすれば前記連通穴２１と前記注水穴３６と前記濾過チャンバ３０とを連通させることができる。
【００１７】
有益なように、前記検測機構１００は前記カップ１０の中に設置された試薬チャンバ１８を含み、前記試薬チャンバ１８の中には検測試薬が入れられており、前記カップ１０の中には前記検測チャンバ３８と前記中間チャンバ１３とを連通した空チャンバ５０が設置され、前記空チャンバ５０の中にはスライド棒１９がスライドできるように設置され、前記スライド棒１９の中には左右に貫通した試薬転移溝１７が設置され、前記試薬転移溝１７と前記試薬チャンバ１８とが連通し、前記空チャンバ５０の左壁の中には下スライド溝１６が設置され、前記下スライド溝１６の中には前記スライド棒１９と固定的に連結された下スライダ１５が設置され、前記下スライダ１５と前記下スライド溝１６の底壁との間には下撥条５１が連結され、前記廃水穴４０の左壁の中には外に開口した封閉棒スライド溝５２が設置され、前記封閉棒スライド溝５２の中には前記排水穴４０を封閉できる下封閉棒４１が設置され、前記封閉棒スライド溝５２の内壁の中にはガイド溝４３が設置され、前記ガイド溝４３の中には前記下封閉棒４１と固定的に連結されたスライダ４４がスライドできるように設置され、前記スライダ４４と前記ガイド溝４３の一側の内壁との間には撥条４２が連結され、
前記制御ブロック１２を下にスライドさせる時、前記連結棒１１が前記スライド棒１９を下に押し、前記試薬転移溝１７の中の検測試薬が前記検測チャンバ３８の中に入り、濾過後の水が前記検測チャンバ３８の中に入った後検測試薬と反応し、この時前記透明ガラス３９によって観測でき、水質が不合格であれば、前記濾過機構２４を交換し又は改めて水源を選択する。
【００１８】
有益なように、前記加圧ブロック２５と前記濾過チャンバ３０の頂壁との間には復帰撥条２７が連結され、前記加圧ブロック２５の上端面には上に外部に伸びている中間棒２６が固定的に設置され、前記カップ１０の上端面の中には収納溝２９が設置され、前記収納溝２９の中には押し棒２８が設置され、前記押し棒２８と前記中間棒２６とがヒンジで連結され、
前記加圧ブロック２５を下に押す時、前記押し棒２８を垂直まで回転させて下に押す。
【００１９】
有益なように、前記ストロー収納溝３２の内壁の中には少なくとも一組の固定ブロック３３が固定的に設置され、前記固定ブロック３３が弾性のある材質から作られ、前記硬いストロー３１は使用しない時前記固定ブロック３３によって固定する。
【００２０】
前記水処理カップの実現方法は以下の手順を含み：
【００２１】
使用する時、制御ブロック１２を下にスライドさせ、連結棒１１によって上封閉棒２０を降下連動させ、連通穴２１と注水チャンバ３６と、濾過チャンバ３０とを連通させ、連結棒１１がスライド棒１９を下に押し、試薬転移溝１７が検測チャンバ３８の中に入り、検測試薬を検測チャンバ３８の中に入れ、水道水が注水チャンバ３６を経由して濾過チャンバ３０の中に入り、ある量の水を注入した後、制御ブロック１２を解放し、上封閉棒２０が上撥条２３によって復帰し、押し棒２８を垂直状態まで回転させ、下に押し棒２８を押し、中間棒２６によって加圧ブロック２５を下にスライド連動させて濾過チャンバ３０の中の液体に圧力を与え、それにより濾過速度を加え、濾過後の水が逆止弁４５を経由して検測チャンバ３８の中に入って検測試薬と反応し、この時透明ガラス３９によって観測し、水質が不合格であれば、濾過機構２４を交換し又は改めて水源を選択し、水質が合格であれば、硬いストロー３１をストロー収納溝３２の中から取り出し、引き線３４によって仕切板４７を上に引っ張り、濾過チャンバ３０と軟質管４６とが連通し、この時硬いストロー３１によって水を飲め、
【００２２】
下封閉棒４１を左に引っ張り、検測チャンバ３８の中の液体が排水穴４０から排出され、
【００２３】
飲まない時、硬いストロー３１をストロー収納溝３２の中に置いて力を入れて押し、固定ブロック３３の作用によって挟んで固定させる。
以上により、本発明は持ち歩きに便利であり、自分で持つ飲み水が飲み切られた後、水道水を本発明の中に入れ、水道水を本発明によって濾過し、且つ濾過過程中加圧でき、濾過効率を大幅に高め、より短い時間に飲める水を手に入れることができ、より高い実用性がある。
【００２４】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020179389.tif 000003
【図２】
2020179389.tif 000004
【図３】
2020179389.tif 000005
【図４】
2020179389.tif 000006
【図５】
2020179389.tif 000007